(57)【要約】  【課題】  記録パルス信号の伝送によるエッジ特性の劣化を低減して高速転送記録を可能にすると共に、該記録パルス信号生成における消費電力の低減を可能にする光学的情報記録装置を提供する。  【解決手段】  レーザ駆動部１４の前段に、Ｎ本の多相クロックｓ１に基づいて、記録パルス信号ｓ４よりも周波数が低く、且つＭ組（Ｍは自然数）の、位相がお互いにずれた２信号からなる２Ｍ本の記録パルス生成用源信号ｓ３を生成する記録パルス生成用源信号発生部１６を設け、上記２Ｍ本の記録パルス生成用源信号ｓ３を、該記録パルス生成用源信号発生部１６から上記レーザ駆動部１４に伝送し、上記レーザ駆動部１４内部において、該２Ｍ本の記録パルス生成用源信号ｓ３を用いて、レーザ光源１３を駆動制御する高周波の記録パルス信号ｓ４を生成する。【選択図】  図１
2006294131.tif 000002
【特許請求の範囲】
【請求項１】
記録すべき情報に応じて光強度を変調したレーザ光を記録媒体に照射して情報記録を行う光学的情報記録装置において、
上記記録媒体にレーザ光を照射するレーザ光源と、
基準クロックに同期して、上記記録すべき情報を変調するデータ変調部と、
上記基準クロックの位相を少しずつずらして、Ｎ（Ｎは２以上の整数）相の多相クロックを作成するＰＬＬをその内部に有し、該多相クロック及び上記データ変調部からの変調データに基づいて、Ｍ組（Ｍは自然数）の、位相がお互いにずれている２本の信号からなる、２Ｍ本の記録パルス生成用源信号を生成する記録パルス生成用源信号発生部と、
上記記録パルス生成用源信号発生部から伝送された、上記２Ｍ本の記録パルス生成用源信号を用いて、記録パルス信号を生成する記録パルス生成部をその内部に有し、該記録パルス信号に従って上記レーザ光源を駆動させるレーザ駆動部と、を備える、
ことを特徴とする光学的情報記録装置。
【請求項２】
請求項１に記載の光学的情報記録装置において、
上記記録パルス生成用源信号発生部は、上記基準クロックを２分周した２分周基準クロックを生成する２分周回路と、該２分周基準クロックの位相を少しずつずらして、Ｎ（Ｎは２以上の整数）相の多相クロックを作成するＰＬＬと、をその内部に有し、該多相クロック及び上記データ変調部からの変調データに基づいて、上記２Ｍ本の記録パルス生成用源信号を生成する、
ことを特徴とする光学的情報記録装置。
【請求項３】
記録すべき情報に応じて光強度を変調したレーザ光をレーザ光源から記録媒体に照射することで情報記録を行う光学的情報記録方法において、
基準クロックに同期して、上記記録すべき情報を変調するデータ変調ステップと、
上記基準クロックの位相を少しずつずらして、Ｎ（Ｎは２以上の整数）相の多相クロックを生成する多相クロック生成ステップと、
上記多相クロック及び上記データ変調ステップにて変調された変調データに基づいて、Ｍ組（Ｍは自然数）の、位相がお互いにずれている２本の信号からなる、２Ｍ本の記録パルス生成用源信号を生成する記録パルス生成用源信号生成ステップと、
上記２Ｍ本の記録パルス生成用源信号を受信し、該受信した２Ｍ本の記録パルス生成用源信号を用いて、記録パルス信号を生成する記録パルス信号生成ステップと、
該記録パルス信号に従って、上記レーザ光源から発光されるレーザ光を記録媒体に照射して情報記録を行う記録ステップと、を含む、
ことを特徴とする光学的情報記録方法。
【請求項４】
請求項３に記載の光学的情報記録方法において、
上記多相クロック生成ステップは、上記基準クロックを２分周した２分周基準クロックを生成した後、該２分周基準クロックの位相を少しずつずらして、Ｎ（Ｎは２以上の整数）相の多相クロックを生成する、
ことを特徴とする光学的情報記録方法。
【発明の詳細な説明】
【技術分野】
【０００１】
本発明は、記録パルス信号に従って発光するレーザ光を照射して情報記録を行う光学的情報記録装置及びその方法に関し、特に、記録パルス信号のエッジ特性の劣化を防止して高速転送記録が可能な光学的情報記録装置及びその方法に関するものである。
【背景技術】
【０００２】
光ディスクなどの光学的情報記録媒体は、コンピュータの外部記憶装置や映像音声記録用として開発及び商品化が進んでいる。すでに、実用化されている記録可能な光ディスクには、レーザビームを記録膜に照射することによりデータの記録がなされる。
【０００３】
近年の光学的記録媒体への高密度記録化に伴い、該記録媒体にマーク形状を正確に記録するために、記録パワーをマルチパルス化し、さらにパワーレベルを多値にするパワー制御が必要となってきている。また、一つの記録マークに対し、上記記録媒体に照射するレーザのパルス幅を可変制御するライトストラテジ制御も必要となってきている（例えば、特許文献１参照）。
【特許文献１】特開２００２−２６９７４４号公報（第７頁、第１図）
【発明の開示】
【発明が解決しようとする課題】
【０００４】
しかしながら、このようなライトストラテジ制御を行うためには、レーザ光源を駆動制御する、高い周波数をもつ記録パルス信号の各パルスのエッジ特性を考慮しなければならない。
具体的に述べると、図７に示す従来の光学的情報記録装置は、光ディスク３１０と、該ディスクを駆動する駆動部３１１と、該光ディスク３１０にレーザ光を発光するレーザ発振器をその内部に備える光ピックアップ３３０と、該レーザ発振器の駆動を制御するレーザ制御駆動手段３４０と、ホストコンピュータ３５０と、インターフェイス３５１と、データのエンコード，デコード、及びＥＦＭ変換を行なうＥＦＭデコードエンコード手段３７０と、該ＥＭＦ変換後のデータに基づいて記録パルス信号を生成する記録パルス発生手段３４１と、当該装置を制御するＣＰＵ３７１と、ＲＡＭ３７２と、光ディスクの種類や記録速度の組み合わせに応じて設定された記憶ストラテジを保持するＲＯＭ３７３と、該ＣＰＵ３７１の制御に基づいてレーザ制御駆動手段３４０を制御するＡＰＣ手段３４２とを備えるものであり、光ディスク３１０にデータを記録する場合、従来装置は、ＥＦＭデコードエンコード手段３７０（データ変調部）で、該データをエンコード及びＥＦＭ変換してＥＦＭ信号にした後、記録パルス発生手段３４１（記録パルス生成部）で、該ＥＦＭ信号に従って記録パルス信号を生成し、該生成された記録パルス信号をレーザ制御駆動手段３４０に伝送して、該記録パルス信号及びＣＰＵ３７１からの制御に基づいて、上記レーザ制御駆動手段３４０（レーザ駆動部）が光ピックアップ３３０内のレーザ発振器の駆動を制御する。
【０００５】
そして、上述した従来装置では、記録パルス発生手段３４１を、ＥＦＭデコードエンコード手段３７０とともに基盤に配置しているため、その構成上、レーザ制御駆動手段３４０と上記記録パルス発生手段３４１間の距離が長くなっている。
【０００６】
従って、このような従来装置において、上記記録媒体３１０にデータを高速転送記録することを想定した場合、上記記録パルス発生手段３４１からレーザ駆動制御手段３４０に伝送される記録パルス信号が高い周波数をもつものとなるため、このような高い周波数をもつ記録パルス信号をエッジ特性の劣化なしに伝送することは、非常に困難である、という課題があった。
【０００７】
本発明は、上記課題に鑑みてなされたものであり、記録パルス信号の伝送によるエッジ特性の劣化を低減して高速転送記録を可能にすると共に、該記録パルス信号生成における消費電力の低減を可能にする光学的情報記録装置及びその方法を提供することを目的とする。
【課題を解決するための手段】
【０００８】
上記課題を解決するために、本発明の光学的情報記録装置は、記録すべき情報に応じて光強度を変調したレーザ光を記録媒体に照射することで情報記録を行う光学的情報記録装置において、上記記録媒体にレーザ光を照射するレーザ光源と、基準クロックに同期して、上記記録すべき情報を変調するデータ変調部と、上記基準クロックの位相を少しずつずらして、Ｎ（Ｎは２以上の整数）相の多相クロックを作成するＰＬＬをその内部に有し、該多相クロック及び上記データ変調部からの変調データに基づいて、Ｍ組（Ｍは自然数）の、位相がお互いにずれている２本の信号からなる、２Ｍ本の記録パルス生成用源信号を生成する記録パルス生成用源信号発生部と、上記記録パルス生成用源信号発生部から伝送された、上記２Ｍ本の記録パルス生成用源信号を用いて、記録パルス信号を生成する記録パルス生成部をその内部に有し、該記録パルス信号に従って上記レーザ光源を駆動させるレーザ駆動部と、を備えるものである。
これにより、記録パルス信号の伝送による劣化を低減することができ、記録媒体に記録すべき情報を高速転送記録することが可能となる。
【０００９】
さらに、本発明の光学的情報記録装置は、上記記録パルス生成用源信号発生部は、上記基準クロックを２分周した２分周基準クロックを生成する２分周回路と、該２分周基準クロックの位相を少しずつずらして、Ｎ（Ｎは２以上の整数）相の多相クロックを作成するＰＬＬと、をその内部に有し、該多相クロック及び上記データ変調部からの変調データに基づいて、上記２Ｍ本の記録パルス生成用源信号を生成するものである。
これにより、記録パルス生成用源信号発生部を低周波数動作させることができ、記録パルス信号の生成における消費電力を低減することができる。
【００１０】
また、本発明の光学的情報記録方法は、記録すべき情報に応じて光強度を変調したレーザ光をレーザ光源から記録媒体に照射することで情報記録を行う光学的情報記録方法において、基準クロックに同期して、上記記録すべき情報を変調するデータ変調ステップと、上記基準クロックの位相を少しずつずらして、Ｎ（Ｎは２以上の整数）相の多相クロックを生成する多相クロック生成ステップと、上記多相クロック及び上記データ変調ステップにて変調された変調データに基づいて、Ｍ組（Ｍは自然数）の、位相がお互いにずれている２本の信号からなる、２Ｍ本の記録パルス生成用源信号を生成する記録パルス生成用源信号生成ステップと、上記２Ｍ本の記録パルス生成用源信号を受信して、該受信した２Ｍ本の記録パルス生成用源信号を用いて、記録パルス信号を生成する記録パルス信号生成ステップと、該記録パルス信号に従って、上記レーザ光源から発光されるレーザ光を記録媒体に照射して情報記録を行う記録ステップと、を含むものである。
これにより、記録パルス信号の伝送による劣化を低減することができ、記録媒体に記録すべき情報を高速転送記録することが可能となる。
【００１１】
さらに、本発明の光学的情報記録方法は、上記多相クロック生成ステップが、上記基準クロックを２分周した２分周基準クロックを生成した後、該２分周基準クロックの位相を少しずつずらして、Ｎ（Ｎは２以上の整数）相の多相クロックを生成するものである。
これにより、記録パルス生成用源信号を上記２分周基準クロックから作成した多相クロックに基づいて作成することができるため、記録パルス信号の生成における消費電力を低減することができる。
【発明の効果】
【００１２】
本発明によれば、記録パルス生成部をレーザ駆動部内に設け、該レーザ駆動部の前段にある記録パルス生成用源信号発生部にて、記録パルス信号を生成する元となる、該記録パルス信号より周波数の低い、位相がお互いにずれている２本の信号をＭ組（Ｍは自然数）有する、２Ｍ本の記録パルス生成用源信号を生成し、該２Ｍ本の記録パルス生成用源信号をレーザ駆動部に伝送して、該レーザ駆動部内にある記録パルス生成部で、該２Ｍ本の記録パルス生成用源信号から記録パルス信号を生成するようにしたので、該記録パルス信号の伝送によるエッジ特性の劣化を低減することができ、この結果、記録パルス信号のライトストラテジ制御精度を向上させ、光学的記録媒体に対する高速転送記録が可能となる。
【００１３】
また、本発明によれば、記録パルス生成用源信号発生部に、基準クロックを２分周にする２分周回路を更に備え、ＰＬＬにおいて、該２分周基準クロックの位相を少しずつずらしてＮ本の多相クロックを生成するようにしたので、記録パルス生成用源信号発生部を低周波数動作させることができ、記録パルス信号の生成における消費電力を低減することができる。
【発明を実施するための最良の形態】
【００１４】
（実施の形態１）
以下、本実施の形態１にかかる光学的記録装置について説明する。
図１は、本発明の実施の形態１に係る光学的情報記録装置の構成を示す図であり、図２は、図１の光学的情報記録装置の記録パルス生成用源信号発生部の一構成例を示す図であり、図３は、図１の光学的情報記録装置の各部のタイミング図である。
【００１５】
本実施の形態１では、レーザ駆動部の前段に、記録パルス信号より低い周波数をもつ、該記録パルス信号を生成する元となる、複数本の記録パルス生成用源信号を生成する記録パルス生成用源信号発生部を備え、該生成された複数本の記録パルス生成用源信号をレーザ駆動部に伝送し、該レーザ駆動部内にて、上記複数本の記録パルス生成用源信号に基づいて記録パルス信号を生成するものである。
【００１６】
図１において、本光学的情報記録装置１０は、光学的記録媒体１１に記録するデータを取得し、基準クロックｓ１に基づいて該取得したデータを所定の規則に従って変調するデータ変調部１７と、その内部に、１本の基準クロックｓ１から、Ｎ本（Ｎは自然数）の位相の少しずつずれた多相クロックｓ１1〜ｓ１Nを生成するＰＬＬ１６１を有し、該Ｎ本のクロックに基づいて、Ｍ組（Ｍは自然数）の、位相がお互いにずれている２信号からなる２Ｍ本の記録パルス生成用源信号ｓ３1〜ｓ３(2M)を生成する記録パルス生成用源信号発生部１６と、その内部に、上記２Ｍ本の記録パルス生成用源信号ｓ３1〜ｓ３(2M)を用いて記録パルス信号ｓ４を生成する記録パルス生成部１４１を有し、該記録パルス信号ｓ４に基づいて後段の半導体レーザ１３を駆動制御するレーザ駆動部１４と、上記レーザ駆動部１４で生成された記録パルス信号ｓ４のタイミングに従ってレーザ光を発光する半導体レーザ１３とからなり、該半導体レーザ１３より発光されたレーザ光が光学系１２により集光され、光学的記録媒体１１の記録面に該光学系１２からのビームスポットを照射することで、該記録媒体１１にデータの記録を行うものである。
【００１７】
以下詳細に説明すると、上記データ変調部１７は、光学的記録媒体１１に記録するデータを取得し、基準クロックｓ１に同期して、該取得したデータに必要に応じて誤り訂正用の冗長ビットを付加し、光学的記録媒体１１へ記録する符号系列である変調データｓ２に変調するものである。本実施の形態１では、上記データ変調部１７で、図３に示すように、５Ｔマーク・４Ｔスペース・７Ｔマーク・３Ｔスペースの記録波形を示す変調データｓ２に変調されるものとする。
【００１８】
記録パルス生成用源信号発生部１６は、基準クロックｓ１と、データ変調部１７からの変調データｓ２とを取得し、ＰＬＬ１６１において、上記基準クロックｓ１の位相を少しずつずらして、位相のずれたＮ本のクロックｓ１1〜ｓ１Nを生成した後、該Ｎ本の多相クロックｓ１1〜ｓ１Nと、上記変調データｓ２のマーク長、スペース長に応じて予め設定されている値に基づいて、上記２Ｍ本の記録パルス生成用源信号ｓ３1〜ｓ３(2M)を生成するものである。
【００１９】
本実施の形態１では、Ｎ=５、Ｍ=２であるものとし、ＰＬＬ１６１にて５本の多相クロックｓ１1〜ｓ１5が生成され、記録パルス生成用源信号発生部１６から、４本の記録パルス生成用源信号ｓ３1〜ｓ３4が出力されるものとする。なお、このＮ，Ｍの値は、光学的記録媒体１１の種類や、記録速度に応じて設定される。
【００２０】
ここで、図２を用いて、記録パルス生成用源信号発生部１６の詳細な構成について説明する。
記録パルス生成用源信号発生部１６は、基準信号ｓ１を受信して多相クロックｓ１1〜ｓ１5を生成するＰＬＬ１６１と、変調データｓ２のマーク長、スペース長に応じて予め設定されている設定値を保持する第１〜第４の設定値保持部１６３ａ〜１６３ｄと、該第１〜第４の設定値保持部１６３ａ〜１６３ｄから得られた値を、後段の選択回路１６４及びタイミング回路１６５にそれぞれ出力する第１〜第４のデコード回路１６２ａ〜１６２ｄと、上記デコード回路１６２から取得した値に基づいて、入力される多相クロックｓ１1〜ｓ１5から１本のクロックを選択する第１〜第４の選択回路１６４ａ〜１６４ｄと、上記デコード回路１６２から取得した値に基づいて、後述する各記憶回路１６６からのデータ出力タイミングを示すタイミング信号を生成する第１〜第４のタイミング回路１６５ａ〜１６５ｄと、選択回路１６４からの信号を保持し、上記各タイミング回路１６５からのタイミング信号に従って該保持していた信号を順次反転させて、記録パルス生成用源信号ｓ３1〜ｓ３4を出力する第１〜第４の記憶回路１６６ａ〜１６６ｄと、からなる。
【００２１】
そして、上記レーザ駆動部１４は、上記記録パルス生成用源信号発生部１６から伝送された記録パルス生成用源信号ｓ３1〜ｓ３4を取得し、記録パルス生成部１４１において、上記記録パルス生成用源信号ｓ３1〜ｓ３4から、半導体レーザ１３の駆動を制御する記録パルス信号ｓ４を生成するものである。
【００２２】
以下、図３を用いて、本実施の形態１の作用効果について説明する。
まず、データ変調部１７が、光学的記録媒体１１に記録するデータと、基準クロックｓ１とを取得すると、該基準クロックｓ１に同期して、取得したデータに必要に応じて誤り訂正用の冗長ビットを付加し、光学的記録媒体１１へ記録する符号系列である変調データｓ２に変調する（図３（ａ），（ｂ）参照）。
【００２３】
上記基準クロックｓ１は、記録パルス生成用源信号発生部１６に入力され、ＰＬＬ１６１において、図３（ｃ）に示すように、基準クロックｓ１の位相を少しずつずらして、５本のクロックｓ１1〜ｓ１5を生成する。また、上記記録パルス生成用源信号発生部１６は、上記データ変調部１７で変調された変調データｓ２を取得し、各デコード回路１６２において、該変調データｓ２のマーク長、スペース長を検出し、各設定値保持部１６３からデコード回路１６２で検出された値に相当する値を読み出し、各選択回路１６４及びタイミング回路１６５に出力する。各選択回路１６４には、ＰＬＬ１６１から５本のクロックｓ１1〜ｓ１5が入力され、上記デコード回路１６２からの値に基づいて、該５本のクロックｓ１1〜ｓ１5のうちの１本を選択する。また、各タイミング回路１６５は、上記デコード回路１６２からの値に基づいてタイミング信号を生成する。
【００２４】
そして、各選択回路１６４にて選択されたクロックｓ１1〜ｓ１5は、各記憶回路１６６に保持され、上記タイミング回路１６５から出力されるタイミング信号に従って、出力される際に該保持された信号を順次反転させて出力する。
この各記憶回路１６６より出力される信号が、記録パルス生成用源信号ｓ３1〜ｓ３4であり、ここでは、図３（ｄ）に示すように、記録パルス生成用源信号ｓ３として、位相がお互いにずれた２本の信号、すなわち、ｓ３1とｓ３2、ｓ３3とｓ３4、が２組生成される。
【００２５】
そして、本実施の形態１では、一つのマークに対して記録パルス信号ｓ４を、トップパルスとマルチパルスとに分割し、トップパルスを、位相のずれた２本の記録パルス生成用源信号ｓ３1，ｓ３2から、またマルチパルスを、位相のずれた２本の記録パルス生成用源信号ｓ３3，ｓ３4から生成する。
【００２６】
このようにして生成された４本の記録パルス生成用源信号ｓ３1〜ｓ３4を、後段のレーザ駆動部１４に伝送し、レーザ駆動部１４内の記録パルス生成部１４１において、該４本の記録パルス生成用源信号ｓ３1〜ｓ３4を論理演算することで、図３（ｅ）に示すような高い周波数を有する記録パルス信号ｓ４を生成する。
【００２７】
このように、本実施の形態１では、レーザ駆動部１４に対し、高い周波数を有する記録パルス信号ｓ４の元となる、複数本の低い周波数の記録パルス生成用源信号ｓ３を伝送し、レーザ駆動部１４内で、該伝送された記録パルス生成用源信号ｓ３を用いて上記記録パルス信号ｓ４を生成するので、記録パルス信号の各パルスのエッジ特性を劣化させることがなく、記録パルス信号のライトストラテジ制御精度を向上させることができる。
【００２８】
そして、上記レーザ駆動部１４では、このようにして生成された上記記録パルス信号ｓ４を用いて半導体レーザ１３を制御し、該半導体レーザ１３は、該記録パルス信号ｓ４のタイミングに従いレーザを発光する。半導体レーザ１３から発光されたレーザ光は光学系１２により集光されてビームスポットとなり、該ビームスポットを光学的記録媒体１１の記録面に照射することで、該記録媒体１１にデータの記録を行う。
【００２９】
以上のように、本実施の形態１によれば、記録パルス生成部１４１をレーザ駆動部１４内に設け、該レーザ駆動部１４の前段にある記録パルス生成用源信号発生部１６にて、記録パルス信号ｓ４を生成する元となる、該記録パルス信号より周波数の低い２Ｍ本の記録パルス生成用源信号ｓ３を生成し、該２Ｍ本の記録パルス生成用源信号ｓ３を、レーザ駆動部１４内にある記録パルス生成部１４１に伝送し、該記録パルス生成部１４１内で、上記２Ｍ本の記録パルス生成用源信号ｓ３を用いて記録パルス信号ｓ４を生成するようにしたので、記録パルス信号ｓ４の伝送によるエッジ特性の劣化を低減でき、この結果、記録パルス信号ｓ４のライトストラテジ制御精度が向上し、光学的記録媒体１１に対する高速転送記録が可能となる。
なお、本実施の形態１では、ＰＬＬ１６１にて１本の基準クロックｓ１から、５本の多相クロックｓ１1〜ｓ１5を生成したが、ＰＬＬ１６１で生成される多相クロックの数はこれに限るものではない。
【００３０】
また、本実施の形態１では、記録パルス信号のライトストラテジ制御として、一つのマークに対して、記録パルス信号ｓ４をトップパルスとマルチパルスとに分割し、記録パルス生成用源信号発生部１６にて、記録パルス生成用源信号ｓ３として、位相のずれた２信号を２組生成して、最初の２信号から記録パルス信号ｓ４のトップパルスを、後の２信号からマルチパルスを生成する場合を例に挙げたが、ライトストラテジ制御の方法、あるいは記録パルス生成用源信号の数はこれに限るものではなく、例えば、ライトストラテジ制御として、一つのマークに対して記録パルス信号ｓ４を、トップパルスとマルチパルスとエンドパルスとに分割し、記録パルス生成用源信号発生部１６にて、記録パルス生成用源信号ｓ３として、位相のずれた２信号を３組生成して、最初の２信号からトップパルスを、次の２信号からマルチパルスを、残りの２信号からエンドパルスを生成するようにしてもよい。
【００３１】
さらに、本実施の形態１では、記録パルス生成用源信号発生部１６が図２に示すような構成を有する場合を一例に挙げて説明したが、これに限るものではなく、記録パルス生成用源信号ｓ３として、お互いに位相のずれた信号をＭ組生成できる構成を有するものであればよい。
【００３２】
（実施の形態２）
以下、本実施の形態２にかかる光学的情報記録装置について説明する。
本実施の形態２では、上記実施の形態１の記録パルス生成用源信号発生部内に、基準クロックを分周する分周回路を更に設けるようにしたものである。
図４は、本発明の実施の形態１に係る光学的情報記録装置の構成を示す図であり、図５は、図４の光学的情報記録装置の記録パルス生成用源信号発生部の一構成例を示す図であり、図６は、図４の光学的情報記録装置の各部のタイミング図である。
【００３３】
図４において、本光学的情報記録装置２０は、光学的記録媒体１１に記録するデータを取得し、基準クロックｓ１に基づいて該取得したデータを所定の規則に従って変調するデータ変調部１７と、その内部に、基準クロックｓ１を２分周して２分周基準クロックｓ１１を生成する２分周回路２６７と、該１本の２分周基準クロックｓ１１から位相の少しずつずれたＮ本（Ｎは自然数）の多相クロックｓ１１1〜ｓ１１Nを生成するＰＬＬ２６１を有し、該Ｎ本のクロックに基づいて、Ｍ組（Ｍは自然数）の、位相がお互いにずれている２信号からなる２Ｍ本の記録パルス生成用源信号ｓ３1〜ｓ３(2M)を生成する記録パルス生成用源信号発生部２６と、その内部に、上記２Ｍ本の記録パルス生成用源信号ｓ３1〜ｓ３(2M)を用いて記録パルス信号ｓ４を生成する記録パルス生成部１４１を有し、該記録パルス信号ｓ４に基づいて後段の半導体レーザ１３を駆動制御するレーザ駆動部１４と、上記レーザ駆動部１４で生成される記録パルス信号ｓ４のタイミングに従ってレーザ光を発光する半導体レーザ１３と、からなり、該半導体レーザ１３より発光されたレーザ光が光学系１２により集光され、該光学系１２からのビームスポットを光学的記録媒体１１の記録面に照射することで、該記録媒体１１にデータの記録を行うものである。
【００３４】
以下詳述すると、上記データ変調部１７は、光学的記録媒体１１に記録するデータを取得し、基準クロックｓ１に同期して、該取得したデータに必要に応じて誤り訂正用の冗長ビットを付加し、光学的記録媒体１１へ記録する符号系列である変調データｓ２に変調するものである。本実施の形態２では、上記データ変調部１７で、図６に示すように、５Ｔマーク・４Ｔスペース・７Ｔマーク・３Ｔスペースの記録波形を示す変調データｓ２に変調されるものとする。
【００３５】
記録パルス生成用源信号発生部２６は、基準クロックｓ１と、データ変調部１７からの変調データｓ２とを取得し、まず２分周回路２６７で基準クロックｓ１から２分周基準クロックｓ１１を生成し、ＰＬＬ２６１において、該２分周基準クロックｓ１１の位相を少しずつ位相をずらして、Ｎ本のクロックｓ１１1〜ｓ１１Nを生成した後、該Ｎ本の多相クロックｓ１１1〜ｓ１１Nと、上記変調データｓ２のマーク長、スペース長に応じて予め設定されている値に基づいて、２Ｍ本の記録パルス生成用源信号ｓ３1〜ｓ３(2M)を生成するものである。
【００３６】
本実施の形態２では、Ｎ=１０、Ｍ=３であるものとし、ＰＬＬ２６１にて１０本の多相クロックｓ１１1〜ｓ１１10が生成され、記録パルス生成用源信号発生部１６から、６本の記録パルス生成用源信号ｓ３1〜ｓ３6が出力されるものとする。なお、このＮ，Ｍの値は、光学的記録媒体１１の種類や、記録速度に応じて設定される。
【００３７】
ここで、図５を用いて、記録パルス生成用源信号発生部１６の詳細な構成について説明する。
記録パルス生成用源信号発生部２６は、基準信号ｓ１を受信して２分周基準クロックｓ１１を生成する２分周回路２６７と、該２分周基準クロックｓ１１から１０本の多相クロックｓ１１1〜ｓ１１10を生成するＰＬＬ２６１と、変調データｓ２のマーク長、スペース長に応じて予め設定されている設定値を保持する第１〜第６の設定値保持部２６３ａ〜２６３ｆと、該第１〜第６の設定保持部２６３ａ〜２６３ｆから得られた値を、後段の選択回路２６４及びタイミング回路２６５にそれぞれ出力する第１〜第６のデコード回路２６２ａ〜２６２ｆと、上記デコード回路２６２から取得した値に基づいて、入力される１０本の多相クロックｓ１１1〜ｓ１１10から１本のクロックを選択する第１〜第６の選択回路２６４ａ〜２６４ｆと、上記デコード回路２６２から取得した値に基づいて、後述する各記憶回路２６６からのデータ出力タイミングを示すタイミング信号を生成する第１〜第６のタイミング回路２６５ａ〜２６５ｆと、上記選択回路２６４からの信号を保持し、上記各タイミング回路２６５からのタイミング信号に従って該保持していた信号を順次反転させて、記録パルス生成用源信号ｓ３1〜ｓ３6を出力する第１〜第６の記憶回路２６６ａ〜２６６ｆと、からなる。
【００３８】
そして、上記レーザ駆動部１４は、上記記録パルス生成用源信号発生部２６から伝送された記録パルス生成用源信号ｓ３1〜ｓ３6を取得し、記録パルス生成部１４１において、上記記録パルス生成用源信号ｓ３1〜ｓ３6から、半導体レーザ１３の駆動を制御する記録パルス信号ｓ４を生成するものである。
【００３９】
以下、図６を用いて、本実施の形態２の作用効果について説明する。
まず、データ変調部１７が、光学的記録媒体１１に記録するデータと、基準クロックｓ１とを取得すると、該基準クロックｓ１に同期して、取得したデータに必要に応じて誤り訂正用の冗長ビットを付加し、光学的記録媒体１１へ記録する符号系列である変調データｓ２に変調する（図６（ａ），（ｂ）参照）。
【００４０】
上記基準クロックｓ１は、記録パルス生成用源信号発生部２６に入力され、まず２分周回路２６７において、図６（ｃ）に示すように２分周基準クロックｓ１１にされた後、ＰＬＬ２６１において、図６（ｄ）に示すように、該２分周基準クロックｓ１１の位相を少しずつずらして、１０本のクロックｓ１１1〜ｓ１１10を生成する。これにより、本実施の形態２では、記録パルス生成用源信号発生部２６が、基準クロックｓ１を２分周した２分周基準クロックｓ１１、すなわち上記実施の形態１より低周波のクロックに基づいて動作させることができる。
【００４１】
また、上記記録パルス生成用源信号発生部２６は、上記データ変調部１７で変調された変調データｓ２を取得し、各デコード回路２６２において、該変調データｓ２のマーク長、スペース長を検出し、各設定値保持部２６３からデコード回路２６２で検出された値に相当する値を読み出し、各選択回路２６４及びタイミング回路２６５に出力する。各選択回路２６４には、ＰＬＬ２６１から１０本のクロックｓ１１1〜ｓ１１10が入力され、上記デコード回路２６２からの値に基づいて、該１０本のクロックｓ１１1〜ｓ１１10のうちの１本を選択する。また、各タイミング回路２６５は、上記デコード回路２６２からの値に基づいてタイミング信号を生成する。
【００４２】
そして、各選択回路２６４にて選択されたクロックｓ１１1〜ｓ１１10は、各記憶回路２６６に保持され、上記タイミング回路２６５から出力されるタイミング信号に従って、出力される際に該保持された信号を順次反転させて出力する。
【００４３】
この各記憶回路２６６より出力される信号が、記録パルス生成用源信号ｓ３1〜ｓ３6であり、ここでは、図６（ｅ）に示すように、記録パルス生成用源信号ｓ３として、位相がお互いにずれた２本の信号、すなわち、ｓ３1とｓ３2、ｓ３3とｓ３4、ｓ３5とｓ３6が３組生成される。
【００４４】
そして、本実施の形態２では、一つのマークに対して記録パルス信号ｓ４を、トップパルスとマルチパルスとに分割し、トップパルスを、位相のずれた２本の記録パルス生成用源信号ｓ３1，ｓ３2から、またマルチパルスを、位相のずれた２本の記録パルス生成用源信号ｓ３3，ｓ３4、及びｓ３5，ｓ３6から生成する。
【００４５】
このようにして生成された６本の記録パルス生成用源信号ｓ３1〜ｓ３6を、後段のレーザ駆動部１４内の記録パルス生成部１４１に伝送し、該記録パルス生成部１４１において、上記６本の記録パルス生成用源信号ｓ３1〜ｓ３6を論理演算することで、図６（ｆ）に示すような高い周波数を有する記録パルス信号ｓ４を生成する。
【００４６】
このように、本実施の形態２では、レーザ駆動部１４に対し、高い周波数を有する記録パルス信号ｓ４の元となる、複数本の低い周波数の記録パルス生成用源信号ｓ３を伝送し、レーザ駆動部１４内で上記記録パルス信号ｓ４を生成するので、記録パルス信号の各パルスのエッジ特性を劣化させることがなく、この結果、記録パルス信号のライトストラテジ制御精度を向上させることができる。
【００４７】
そして、上記レーザ駆動部１４では、このようにして生成された上記記録パルス信号ｓ４を用いて半導体レーザ１３を制御し、該半導体レーザ１３は該記録パルス信号ｓ４のタイミングに従いレーザを発光する。半導体レーザ１３から発光されたレーザ光は光学系１２により集光されてビームスポットとなり、該ビームスポットを光学的記録媒体１１の記録面に照射させて、該記録媒体１１にデータの記録を行う。
【００４８】
以上のように、本実施の形態２によれば、レーザ駆動部１４の前段にある記録パルス生成用源信号発生部１６にて、基準クロックｓ１を２分周し、該２分周基準クロックｓ１１に基づいて、複数本の記録パルス生成用源信号ｓ３を生成するようにしたので、記録パルス生成用源信号ｓ３を生成する際における消費電力を低減することができ、この結果、当該光学的情報記録装置２０により光学的記録媒体１１にデータ記録する際の消費電力を低減することが可能となる。
【００４９】
なお、本実施の形態２では、ＰＬＬ２６１にて基準クロックｓ１を２分周した１本の２分周基準クロックｓ１１から、１０本の多相クロックｓ１１1〜ｓ１１10を生成したが、ＰＬＬ２６１で生成される多相クロックの数はこれに限るものではない。
【００５０】
また、本実施の形態２では、記録パルス信号のライトストラテジ制御として、一つのマークに対して記録パルス信号ｓ４をトップパルスとマルチパルスとに分割し、記録パルス生成用源信号発生部２６にて、記録パルス生成用源信号ｓ３として、位相のずれた２信号を２組生成して、最初の２信号から記録パルス信号ｓ４のトップパルスを、後の２信号から記録パルス信号ｓ４のマルチパルスを生成する場合を例に挙げたが、ライトストラテジ制御の方法、あるいは記録パルス生成用源信号の数はこれに限るものではなく、例えば、一つのマークに対して、記録パルス信号ｓ４をトップパルスとマルチパルスとエンドパルスとに分割し、記録パルス生成用源信号発生部２６にて、記録パルス生成用源信号ｓ３として、位相のずれた２信号を４組生成し、最初の２信号からトップパルスを、次の４信号からマルチパルスを、最後の２信号からエンドパルスを生成するようにしてもよい。
【００５１】
さらに、本実施の形態２では、記録パルス生成用源信号発生部２６が図５に示すような構成を有する場合を一例に挙げて説明したが、これに限るものではなく、記録パルス生成用源信号ｓ３として、お互いに位相のずれた信号をＭ組生成できる構成を有するものであればよい。
【産業上の利用可能性】
【００５２】
本発明にかかる光学的情報記録装置は、高倍速記録における光学的情報記録装置として有用である。
【図面の簡単な説明】
【００５３】
【図１】本発明の実施の形態１に係る光学的情報記録装置の構成を示す図である。
【図２】本発明の実施の形態１に係る光学的情報記録装置内の記録パルス生成用源信号発生部の詳細な構成を示す図である。
【図３】本発明の実施の形態１に係る光学的情報記録装置の、各構成部からの信号を示すタイミング図である。
【図４】本発明の実施の形態２に係る光学的情報記録装置の構成を示す図である。
【図５】本発明の実施の形態２に係る光学的情報記録装置内の記録パルス生成用源信号発生部の詳細な構成を示す図である。
【図６】本発明の実施の形態２に係る光学的情報記録装置の、各構成部からの信号を示すタイミング図である。
【図７】従来の光学的情報記録装置の構成を示す図である。
【符号の説明】
【００５４】
１０，２０  光学的情報記録装置
１１，３１０  光学的記録媒体
１２  光学系
１３  半導体レーザ
１４  レーザ駆動部
１６，２６  記録パルス生成用源信号発生部
１７  データ変調部
１４１  記録パルス生成部
１６１，２６１  ＰＬＬ
１６２，２６２  デコード回路
１６３，２６３  設定値保持部
１６４，２６４  選択回路
１６５，２６５  タイミング回路
１６６，２６６  記憶回路
２６７  ２分周回路
３１１  駆動部
３３０  光ピックアップ
３４０  レーザ制御駆動手段
３４１  記録パルス発生手段
３４２  ＡＰＣ手段
３４３  戻り光検出手段
３５０  ホストコンピュータ
３５１  インターフェイス
３７０  ＥＦＭデコードエンコード手段
３７１  ＣＰＵ
３７２  ＲＡＭ
３７３  ＲＯＭ
３７４  ＥＦＭ信号処理手段
【図１】
2006294131.tif 000003
【図２】
2006294131.tif 000004
【図３】
2006294131.tif 000005
【図４】
2006294131.tif 000006
【図５】
2006294131.tif 000007
【図６】
2006294131.tif 000008
【図７】
2006294131.tif 000009